(57)【要約】【課題】良好な映像情報の無線送受信が可能な無線伝送システムを得る。【解決手段】テレビ１は映像・音声情報を無線受信することができる無線映像等受信機器として機能する。チューナーユニット２及びレコーダーユニット３は、それぞれテレビ１に対し映像・音声情報を無線送信することができる無線映像等送信機器として機能する。テレビ１は、チューナーユニット２及びレコーダーユニット３それぞれに対し無線送信による制御を行うことにより映像情報選択制御動作を実行している。その結果、テレビ１は、選択映像等送信機器（チューナーユニット２あるいはレコーダーユニット３）より送信される選択映像情報を直接無線受信する。【選択図】図１
2010114798.tif 000002
【特許請求の範囲】
【請求項１】
少なくとも映像情報の無線受信が可能な無線映像等受信機器と、
各々が少なくとも映像情報の送信が可能な複数の映像等送信機器とを備え、前記複数の映像等送信機器は、前記無線映像等受信機器に対する少なくとも映像情報の無線送信が可能な少なくとも一つの無線映像等送信機器を含み、
前記無線映像等受信機器及び前記少なくとも一つの無線映像等送信機器のうちのいずれかである映像情報送受信制御部は、前記複数の映像等送信機器のうち一の映像等送信機器を選択映像等送信機器として決定し、前記選択映像等送信機器より送信される映像情報である選択映像情報が前記無線映像等受信機器に無線送信されるように映像情報選択制御動作を行うことを特徴とする、
無線伝送システム。
【請求項２】
請求項１記載の無線伝送システムであって、
前記複数の映像等送信機器及び前記少なくとも一つの無線映像等送信機器は共通に複数の無線映像等送信機器を含み、
前記映像情報送受信制御部は前記無線映像等受信機器を含み、
前記無線映像等受信機器は、前記複数の無線映像等送信機器それぞれに対し無線送信による制御を行うことにより前記映像情報選択制御動作を実行し、前記選択映像等送信機器より送信される前記選択映像情報を直接無線受信する、
無線伝送システム。
【請求項３】
請求項１記載の無線伝送システムであって、
前記複数の映像等送信機器及び前記少なくとも一つの無線映像等送信機器は共通に複数の無線映像等送信機器を含み、
前記映像情報送受信制御部は前記複数の無線映像等送信機器のうち一である制御用無線映像等送信機器を含み、
前記制御用無線映像等送信機器は自身を除く前記複数の無線映像等送信機器に対し制御を行うことにより前記映像情報選択制御動作を実行し、前記選択映像等送信機器から前記選択映像情報を前記無線映像等受信機器に対し直接無線送信させる、
無線伝送システム。
【請求項４】
請求項１記載の無線伝送システムであって、
前記複数の映像等送信機器は、無線送信が不能で少なくとも映像情報の有線送信が可能な少なくとも一つの有線映像等送信機器を含み、
前記少なくとも一つの無線映像等送信機器は、前記少なくとも一つの有線映像等送信機器から前記選択映像情報を有線受信した場合、該選択映像情報を前記無線映像等受信機器に無線送信する代替送信を実行する中継用無線映像等送信機器を含み、
前記映像情報送受信制御部は前記無線映像等受信機器を含み、
前記無線映像等受信機器は前記少なくとも一つの無線映像等送信機器に対し無線送信により制御を行い、前記少なくとも一つの有線映像等送信機器に対し前記中継用無線映像等受信機器を介した制御を行うことにより前記映像情報選択制御動作を実行し、前記選択映像等送信機器が前記少なくとも一つの無線映像等送信機器の場合は前記選択映像情報を直接無線受信し、前記選択映像等送信機器が前記少なくとも一つの有線映像等送信機器の場合は前記選択映像情報を前記中継用無線映像等送信機器を介して無線受信する、
無線伝送システム。
【請求項５】
請求項１記載の無線伝送システムであって、
前記複数の映像等送信機器は、無線送信が不能で少なくとも映像情報の有線送信が可能な少なくとも一つの有線映像等送信機器を含み、
前記少なくとも一つの無線映像等送信機器は、前記少なくとも一つの有線映像等送信機器から前記選択映像情報を有線受信した場合、該選択映像情報を前記無線映像等受信機器に無線送信する代替送信を実行する中継用無線映像等送信機器を含み、
前記映像情報送受信制御部は前記少なくとも一つの無線映像等送信機器のうち一である制御用無線映像等送信機器を含み、
前記制御用無線映像等送信機器は自身を除く前記少なくとも一つの無線映像等送信機器に対し無線送信により制御を行い、前記少なくとも一つの有線映像等送信機器に対する制御を行うことにより前記映像情報選択制御動作を実行し、前記選択映像等送信機器が前記少なくとも一つの無線映像等送信機器の場合は前記選択映像情報を前記無線映像等受信機器に直接無線送信させ、前記選択映像等送信機器が前記少なくとも一つの有線映像等送信機器の場合は前記選択映像情報を前記中継用無線映像等送信機器を介して無線送信させる、
無線伝送システム。
【請求項６】
請求項１ないし請求項５のうち、いずれか１項に記載の無線伝送システムであって、
前記映像情報送受信制御部に対し、前記複数の映像等送信機器のうち前記選択映像情報を送信すべき機器を指示する映像情報切り換えコマンドを無線送信する切り換えコマンド送信部をさらに備え、
前記映像情報送受信制御部は、前記映像情報切り換えコマンドに基づき、前記映像情報選択制御動作を実行し、
前記コマンド送信部から前記映像情報送受信制御部への前記映像情報切り換えコマンドの無線送信は、シングルアンテナを利用した指向性の持たせない方式で行われる、
無線伝送システム。
【請求項７】
請求項１ないし請求項６のうち、いずれか１項に記載の無線伝送システムであって、
前記無線映像等受信機器は有線による情報の送受信が可能な第１の有線送受信部をさらに有し、
前記少なくとも一つの無線映像等送信機器はそれぞれ有線による情報の送受信が可能な第２の有線送受信部をさらに有し、
前記無線映像等受信機器と前記少なくとも一つの無線映像等送信機器それぞれとの間において、前記第１の有線送受信部と前記第２の有線送受信部との間を有線送受信可能に接続して、両者に共通の認証コードを設定する認証コード設定機能を持たせたことを特徴とする、
無線伝送システム。
【請求項８】
請求項１ないし請求項７のうち、いずれか１項に記載の無線伝送システムであって、
前記無線映像等受信機器及び前記少なくとも一つの無線映像等送信機器は、無線受信感度設定モード時に、前記少なくとも一つの無線映像等送信機器それぞれより映像情報を試験的に無線送信させ、前記無線映像等受信機器における前記映像情報の受信感度をテストする無線受信感度テスト機能を有することを特徴とする、
無線伝送システム。
【請求項９】
請求項８記載の無線伝送システムであって、
前記無線受信感度テスト機能は、前記無線映像等受信機器における前記映像情報の受信感度が不良である場合に、当該不良の前記映像情報を無線送信した無線映像等送信機器の設置状況の変更を促す処理を含む、
無線伝送システム。
【発明の詳細な説明】
【技術分野】
【０００１】
この発明は、映像・音声情報を無線受信する無線映像等受信機器に対して、映像・音声情報を送信する映像等送信機器が複数存在する構成における無線伝送システム。
【背景技術】
【０００２】
近年、無線伝送技術の発達により、チューナー、ビデオ、ＤＶＤなどの映像・音声情報（信号）出力機器からディスプレイ等の表示機器に対して映像・音声情報を無線送信する無線伝送システムが例えば特許文献１で提案されている。
【０００３】
この無線伝送システムは、映像・音声出力機器側の無線伝送装置が別体で設置され、無線伝送装置が赤外線信号を用いて各映像・音声出力機器を制御するシステムとなっている。
【０００４】
【特許文献１】特開２００３−１７９７７４号公報
【発明の開示】
【発明が解決しようとする課題】
【０００５】
しかし、従来の無線伝送システムは、無線で映像・音声信号を受信するテレビ（無線映像等受信機器）に対して無線で映像・音声信号を送信する機器（無線映像等送信機器）が複数台あり、テレビが１チャンネル分の映像・音声信号しか無線で受信できない場合において、複数の無線映像等送信機器が同時に映像・音声信号を送信すると信号が混信してしまい、テレビが正確な映像表示ができないという第１の問題点があった。
【０００６】
加えて、従来の無線伝送システムは、上述の特許文献１のように、無線で映像・音声信号を受信するテレビに対して映像・音声再生機器が複数台あり、そのうち、無線映像等送信機器が１台だけで他の機器は上記無線映像等送信機器による無線を通して映像・音声信号を無線で伝送する構成の場合、複数の映像等送信機器が同時に映像・音声情報を伝送しないようにさせなければならないという第２の問題点があった。
【０００７】
さらに、従来の無線伝送システムは、製造工程において、製造した無線映像等送信機器と無線映像等受信機器とがセットであると認識させるために、無線通信により認証動作を行う場合に製造した他の機器と意図しない認証が行われてしまう懸念があるという第３の問題点があった。
【０００８】
また、従来の無線伝送システムは、無線映像等送信機器と無線映像等受信機器とを設置するときに、設置位置によっては受信感度が足りなくなってしまう第４の問題点があった。
【０００９】
この発明は上記第１〜第４の問題点のうち、少なくとも一つを解決するためになされたもので、良好な映像情報の無線送受信が可能な無線伝送システムを得ることを目的とする。
【課題を解決するための手段】
【００１０】
この発明に係る請求項１記載の無線伝送システムは、少なくとも映像情報の無線受信が可能な無線映像等受信機器と、各々が少なくとも映像情報の送信が可能な複数の映像等送信機器とを備え、前記複数の映像等送信機器は、前記無線映像等受信機器に対する少なくとも映像情報の無線送信が可能な少なくとも一つの無線映像等送信機器を含み、前記無線映像等受信機器及び前記少なくとも一つの無線映像等送信機器のうちのいずれかである映像情報送受信制御部は、前記複数の映像等送信機器のうち一の映像等送信機器を選択映像等送信機器として決定し、前記選択映像等送信機器より送信される映像情報である選択映像情報が前記無線映像等受信機器に無線送信されるように映像情報選択制御動作を行っている。
【発明の効果】
【００１１】
請求項１記載の無線伝送システムは、無線映像等受信機器及び少なくとも一つの無線映像等送信機器のうちのいずれかである映像情報送受信制御部が上述した映像情報選択制御動作を行うことにより、複数の映像等送信機器のうち選択映像等送信機器から送信される選択映像情報を選択的に無線映像等受信機器により受信することができる。
【００１２】
その結果、無線映像等受信機器に複数の無線映像等送信機器から同時に映像情報が送信されることを確実に回避することができ、良好な映像・音声情報の無線送受信が可能となる効果を奏する。
【発明を実施するための最良の形態】
【００１３】
＜実施の形態１＞
図１及び図２はこの発明の実施の形態１である無線伝送システムの構成を示す説明図である。これらの図に示すように、実施の形態１の無線伝送システムはテレビ１、チューナーユニット２、レコーダーユニット３及びリモコン８から構成される。なお、図１はチューナーユニット２から無線伝送路５を通じて映像・音声情報が無線（により）送信されている場合、図２はレコーダーユニット３から無線伝送路６を通じて映像・音声情報が無線送信されている場合を示している。
【００１４】
テレビ１は映像・音声情報を無線（により）受信することができる無線映像等受信機器として機能する。一方、チューナーユニット２及びレコーダーユニット３は、それぞれテレビ１に対し映像・音声情報を無線送信することができる無線映像等送信機器として機能する。ただし、テレビ１は複数の無線映像等送信機器が送信する映像・音声情報を同時に受信することはできないものとする。
【００１５】
チューナーユニット２は内蔵されているチューナー４（図１，図２では存在を明確にするため外部構成要素のように示しているが実際には内蔵されている）を通して受信した放送信号を映像・音声情報（信号）に変換して、無線伝送路５（図１参照）を通してテレビ１に伝送する無線映像等送信機器である。
【００１６】
レコーダーユニット３は、ＨＤＤ等の記憶装置を備え、記録されている信号を映像・音声情報（信号）に変換して、無線伝送路１０６（図２参照）を通してテレビ１に伝送する無線映像等送信機器である。また、レコーダーユニット３はＨＤＤ以外にディスク媒体７に映像・音声情報（信号）を読み書きすることができる装置を備えていてもよい。
【００１７】
テレビ１は複数の無線映像等送信機器が無線送信される映像・音声情報を同時に受信することができないため、テレビ１とチューナーユニット２及びレコーダーユニット３とは互いに連携動作することにより、チューナーユニット２及びレコーダーユニット３がテレビ１に対し映像・音声情報を同時に無線送信しないように制御する必要がある。
【００１８】
実施の形態１で利用する、テレビ１、チューナーユニット２、レコーダーユニット３及びリモコン８間の情報の授受は以下の(1)〜(3)で示す第１の送受信方式を用いて行われる。この第１の送受信方式はテレビ１が映像情報送受信制御部として機能し、映像情報選択制御動作を行う場合の送受信方式である。
【００１９】
(1) テレビ１，リモコン８間
・リモコン信号伝送路９を通じたリモコン８からテレビ１への切り換えコマンドの送信
(2) テレビ１，チューナーユニット２間
・無線伝送路５を通じたチューナーユニット２からテレビ１への映像・音声情報の無線送信
・無線伝送路１０を通じた制御情報の無線送受信
(3) テレビ１，レコーダーユニット３間
・無線伝送路６を通じたレコーダーユニット３からテレビ１への映像・音声情報の無線送信
・無線伝送路１１を通じた制御情報の無線送受信。
【００２０】
本実施の形態では、無線伝送方式として、複数のアンテナを用いて高速な通信を行う無線通信技術であり、高速無線LAN規格「IEEE802.11n」等でも採用されたMIMO（Multiple Input Multiple Output）を用い、各機器間で連携動作するために使用する制御情報は時分割で送信している映像・音声情報の隙間を利用して送信するものとする。また、リモコン信号伝送路９を通じた無線通信として、シングルアンテナを利用した指向性の持たせない伝送方式等が考えられる。
【００２１】
（第１の連携方法）
映像情報送受信制御部であるテレビ１の制御下で行う映像情報選択制御動作における第１の連携方法の例を以下に示す。第１の連携方法は、ユーザーがテレビ１でレコーダーユニット３の映像・音声を視聴中に、チューナーユニット２の映像・音声に切り換えるようにリモコン８を使用してリモコン信号伝送路９を通してテレビ１に指示（切り換えコマンドＣ１による指示）した場合の連携方法である。すなわち、切り換えコマンドＣ１はチューナーユニット２を選択映像等送信機器とし、チューナーユニット２から無線送信される映像・音声情報が選択映像・音声情報となることを指示している。
【００２２】
テレビ１はユーザーから上記切り換えコマンドＣ１を受けると映像・音声情報の送信停止指示情報を制御情報として無線伝送路１１を通じてレコーダーユニット３に対し無線送信する。
【００２３】
レコーダーユニット３はテレビ１からの上記送信停止指示情報を受信すると、無線伝送路６を通じたテレビ１への映像・音声情報の無線送信を停止する。
【００２４】
その後、レコーダーユニット３は、無線伝送路１１を通して送信停止完了情報を制御情報としてテレビ１に対し無線送信する。
【００２５】
テレビ１はレコーダーユニット３から上記送信停止完了情報を受信すると、無線伝送路１０を通して、チューナユニット用送信開始指示情報を制御情報としてチューナーユニット２に無線送信する。チューナユニット用送信開始指示情報はチューナーユニット２を選択映像等送信機器として決定することを指示する情報である。
【００２６】
チューナーユニット２はテレビ１から上記チューナーユニット用送信開始指示情報を受信すると、無線伝送路５を通してテレビ１に対する映像・音声情報を選択映像・音声情報とした無線送信を開始する（図１参照）。すなわち、テレビ１はチューナーユニット２から選択映像・音声情報を直接無線受信する。
【００２７】
（第２の連携方法）
次に、テレビ１の制御下で行う映像情報選択制御動作における第２の連携方法の例を示す。第２の連携方法は、ユーザーがテレビ１でチューナーユニット２の映像・音声を視聴中に、レコーダーユニット３の映像・音声に切り換えるようにリモコン８を使用してリモコン信号伝送路９を通してテレビ１に指示（切り換えコマンドＣ２による指示）する場合の連携方法である。すなわち、切り換えコマンドＣ２はレコーダーユニット３を選択映像等送信機器とし、レコーダーユニット３から無線送信される映像・音声情報が選択映像・音声情報となることを指示している。
【００２８】
テレビ１は上記ユーザーからの切り換えコマンドＣ２を受けると、無線伝送路１０を通して映像・音声情報の送信停止指示情報を制御情報としてチューナーユニット２に対し無線送信する。
【００２９】
チューナーユニット２はテレビ１からの上記送信停止指示情報を受信すると、テレビ１への映像・音声情報の無線送信を停止する。
【００３０】
その後、チューナーユニット２は、無線伝送路１０を通して送信停止完了情報を制御情報として無線伝送路１０を通して無線送信する。
【００３１】
テレビ１はチューナーユニット２から上記送信停止完了情報を受信すると、無線伝送路１１を通してレコーダーユニット用送信開始指示情報を制御情報としてレコーダーユニット３に対し送信する。レコーダーユニット用送信開始指示情報はレコーダーユニット３を選択映像等送信機器として決定することを指示する情報である。
【００３２】
レコーダーユニット３はテレビ１から上記レコーダーユニット用送信開始指示情報を受信すると、無線伝送路１０６を通してテレビ１に対する映像・音声情報の送信を開始する（図２参照）。すなわち、テレビ１はレコーダーユニット３から選択映像・音声情報を直接無線受信する。
【００３３】
上述した第１及び第２の連携方法で説明したように、無線映像等受信機器であるテレビ１は、複数の無線映像等送信機器（チューナーユニット２，レコーダーユニット３）それぞれに対し無線送信による制御を行うことにより映像情報選択制御動作を実行している。その結果、テレビ１は、選択映像等送信機器（チューナーユニット２あるいはレコーダーユニット３）より送信される選択映像・音声情報を直接無線受信する。
【００３４】
このように、実施の形態１の無線伝送システムでは、テレビ１による制御下で、上述した(1)〜(3)で示した第１の送受信方式を用いた・報選択制御動作（第１及び第２の連携方法）を行うことにより、チューナーユニット２，レコーダーユニット３間の映像・音声情報の無線送信の切り換え制御が行える。
【００３５】
したがって、実施の形態１の無線伝送システムは、リモコン８を用いたユーザの操作によって、一の無線映像等受信機器（テレビ１）と複数の無線映像等送信機器（チューナーユニット２，レコーダーユニット３）とが連携動作することにより、一の無線映像等受信機器に複数の無線映像等送信機器から同時に映像・音声情報が送信されること（第１の問題点）を確実に回避することができる。その結果、実施の形態１の無線伝送システムは、良好な映像・音声情報の無線送受信が可能となる効果を奏する。
【００３６】
また、リモコン信号伝送路９を通じた無線通信として、シングルアンテナを利用した指向性の持たせない方式を用いることにより、比較的安価にテレビ１，リモコン８間の無線通信を実現することができる。
【００３７】
本実施の形態では、ユーザーからの操作はリモコン８で行われているが、操作方法はこれに限定しない。本実施の形態では、テレビ１はレコーダーユニット３から送信されてくる映像・音声情報の停止確認に、レコーダーユニット３から送信されてくる送信停止完了情報を用いたが、テレビ１が受信している映像・音声情報の有無から判断するようにしてもよい。
【００３８】
本実施の形態では、映像・音声情報を送信する映像等送信機器としてチューナーユニット２及びレコーダーユニット３の例を示したが、これに限定しない。本実施の形態では、無線映像等送信機器が２台の例を示したが、３台以上の場合も本実施の形態で示した第１及び第２の連携方法を応用して容易に適用可能なのは勿論である。
【００３９】
＜実施の形態２＞
実施の形態２における無線伝送システムの構成は、図１及び図２に示した実施の形態１と同様である。実施の形態１では、無線映像等受信機器であるテレビ１が映像情報送受信制御部として、複数の無線映像等送信機器（チューナーユニット２，レコーダーユニット３）に無線による制御を行う制御方式を採用していた。
【００４０】
一方、実施の形態２では、複数の無線映像等送信機器のうちの一の機器が映像情報送受信制御部として、無線映像等受信機器及び他の無線映像等送信機器を清書する制御方式を採用している点で異なる。具体的には、実施の形態２ではチューナーユニット２が映像情報送受信制御部として動作する制御用無線映像等送信機器となる。
【００４１】
実施の形態２で利用する、テレビ１、チューナーユニット２、レコーダーユニット３及びリモコン８間の情報の授受は以下の(2)′,(3)′,(4),及び(5)で示す第２の送受信方式によって行われる。この第２の送受信方式はチューナーユニット２が映像情報送受信制御部として機能し、映像情報選択制御動作を行う場合の送受信方式である。
【００４２】
(2)′ テレビ１，チューナーユニット２間
・無線伝送路５を通じたチューナーユニット２からテレビ１への映像・音声情報の無線送信
(3)′ テレビ１，レコーダーユニット３間
・無線伝送路６を通じたレコーダーユニット３からテレビ１への映像・音声情報の無線送信
(4) チューナーユニット２，レコーダーユニット３間
・無線伝送路１２を通じた制御情報の無線送受信
(5) リモコン８，チューナーユニット２間
・リモコン信号伝送路１３を通じたリモコン８からチューナーユニット２への切り換えコマンドの送信。
【００４３】
実施の形態２では、無線伝送方式として、実施の形態１と同様、複数のアンテナを用いて高速な通信を行う無線通信技術であり、高速無線LAN規格「IEEE802.11n」等でも採用されたMIMOを用い、各機器間で連携動作するために使用する制御情報は時分割で送信している映像・音声情報の隙間を利用して送信するものとする。また、リモコン信号伝送路１３を通じた無線通信として、シングルアンテナを利用した指向性の持たせない伝送方式等が考えられる。
【００４４】
（第３の連携方法）
映像情報送受信制御部であるチューナーユニット２の制御下で行う映像情報選択制御動作における第３の連携方法の例を以下に示す。第３の連携方法は、ユーザーがテレビ１でレコーダーユニット３の映像・音声を視聴中に、チューナーユニット２の映像・音声に切り換えるように、リモコン８を使用してリモコン信号伝送路１３を通してチューナーユニット２に指示（切り換えコマンドＣ３による指示）した場合の連携方法である。すなわち、切り換えコマンドＣ３はチューナーユニット２を選択映像等送信機器とし、チューナーユニット２から無線送信される映像・音声情報が選択映像・音声情報となることを指示している。
【００４５】
チューナーユニット２は上記ユーザーからの切り換えコマンドＣ３を受けると、無線伝送路１２を通して映像・音声情報の送信停止指示情報を制御情報としてレコーダーユニット３に無線送信する。
【００４６】
レコーダーユニット３はチューナーユニット２からの上記送信停止指示情報を受信すると、テレビ１への映像・音声情報の無線送信を停止する。
【００４７】
その後、レコーダーユニット３は、無線伝送路１２を通して送信停止完了情報を制御情報としてチューナーユニット２に無線送信する。
【００４８】
チューナーユニット２はレコーダーユニット３から上記送信停止完了情報を受信すると、無線伝送路５を通してテレビ１に対する映像・音声情報の送信を開始する（図１参照）。すなわち、テレビ１はチューナーユニット２から選択映像・音声情報を直接無線受信する。
【００４９】
（第４の連携方法）
次に、チューナーユニット２よる制御下で行う映像情報選択制御動作における第４の連携方法について説明する。第４の連携方法は、ユーザーがテレビ１でチューナーユニット２の映像・音声を視聴中に、レコーダーユニット３の映像・音声に切り換えるようにリモコン８を使用してリモコン信号伝送路１３を通してチューナーユニット２に指示（切り換えコマンドＣ４による指示）する場合の連携方法である。すなわち、切り換えコマンドＣ４はレコーダーユニット３を選択映像等送信機器とし、レコーダーユニット３から無線送信される映像・音声情報が選択映像・音声情報となることを指示している。
【００５０】
チューナーユニット２は上記ユーザーからの切り換えコマンドＣ４を受けるとテレビ１に対する映像・音声情報の無線送信を停止し、無線伝送路１２を通してレコーダーユニット用送信開始指示情報を制御情報としてレコーダーユニット３に送信する。
【００５１】
レコーダーユニット３はチューナーユニット２からレコーダーユニット用送信開始指示情報を受信すると、無線伝送路１０６を通してテレビ１に対する映像・音声情報の無線送信を開始する（図２参照）。すなわち、テレビ１はレコーダーユニット３から選択映像・音声情報を直接無線受信する。
【００５２】
上述した第３及び第４の連携方法で説明したように、制御用無線映像等送信機器であるチューナーユニット２は自身を除く複数の無線映像等送信機器（レコーダーユニット３）に対し制御を行うことにより映像情報選択制御動作を実行している。その結果、選択映像等送信機器（チューナーユニット２あるいはレコーダーユニット３）からの選択映像・音声情報を無線映像等受信機器であるテレビ１に対し直接無線送信させる。
【００５３】
このように、実施の形態２の無線伝送システムでは、映像情報送受信制御部であるチューナーユニット２よる制御下で、(2)′，(3)′(4)，(5)で示す第２の送受信方式を用いた映像情報選択制御動作（第３及び第４の連携方法）を行うことにより、チューナーユニット２，レコーダーユニット３間の映像・音声情報の送信の切り換え制御が行える。
【００５４】
したがって、実施の形態２の無線伝送システムは、実施の形態１と同様、リモコン８を用いたユーザの操作によって、一の無線映像等受信機器と複数の無線映像等送信機器とが連携動作することにより、一の無線映像等受信機器に複数の無線映像等送信機器から同時に映像・音声情報が送信されることを確実に回避することができる。その結果、実施の形態２の無線伝送システムは、良好な映像・音声情報の無線送受信が可能となる効果を奏する。
【００５５】
本実施の形態では、ユーザーからの操作はリモコン８で行われているが、操作方法はこれに限定しない。チューナーユニット２とレコーダーユニット３の間で無線伝送路１２を通して無線送受信している制御情報は、HDMIケーブル等の有線ケーブルを使用した有線送受信により行うようにしてもよい。
【００５６】
また、リモコン信号伝送路１３を通じた無線通信として、シングルアンテナを利用した指向性の持たせない方式を用いることにより、比較的安価にチューナーユニット２，リモコン８間の無線通信を実現することができる。
【００５７】
実施の形態２では、映像等送信機器としてチューナーユニット２とレコーダーユニット３の例を示したが、実施の形態１と同様、これに限定しない。実施の形態２では、無線映像等送信機器が２台の例を示したが、３台以上の場合も本実施の形態で示した第３及び第４の連携方法を応用して容易に適用可能なのは勿論である。
【００５８】
＜実施の形態３＞
図３はこの発明の実施の形態２である無線伝送システムの構成を示す説明図である。同図に示す構成は大部分は、図１及び図２で示した実施の形態１と同様であり、同一構成部分は同一符号を付し説明を省略する。
【００５９】
実施の形態３では映像等送信機器が複数あり、その中の一部の機器のみ無線通信機能を備えた無線映像等送信機器である場合を示している。すなわち、実施の形態３ではレコーダーユニット２３は無線通信機能を備えておらず、チューナーユニット２に対する映像・音声情報の有線（による）送信機能を備えている有線送信機器として機能する。一方、チューナーユニット２は映像・音声情報の無線通信機能を有している。ただし、チューナーユニット２は、１チャンネルの映像・音声情報しか無線送信できないものとする。
【００６０】
チューナーユニット２は複数チャンネルの映像・音声情報を同時に無線送信することができないため、テレビ１とチューナーユニット２及びレコーダーユニット２３とは互いに連携動作することで、チューナーユニット２及びレコーダーユニット２３のどちらか一方のみテレビ１に対して映像・音声情報を無線で送信するように制御しなければならない。
【００６１】
実施の形態３で利用する、テレビ１、チューナーユニット２、レコーダーユニット２３及びリモコン８間の情報の授受は以下の(1)〜(4)で示す第３の送受信方式を用いて行われる。この第３の送受信方式はテレビ１が映像情報送受信制御部として機能し、映像情報選択制御動作を行う場合の送受信方式である。
【００６２】
(1) テレビ１，リモコン８間
・リモコン信号伝送路９を通じたリモコン８からテレビ１への切り換えコマンドの送信
(2) テレビ１，チューナーユニット２間
・無線伝送路５を通じたチューナーユニット２からテレビ１への映像・音声情報の無線送信
・無線伝送路１０を通じた制御情報の双方向送受信
(3) チューナーユニット２，レコーダーユニット２３間
・有線伝送路１４を介した制御情報の有線送受信
・有線伝送路１４を介したレコーダーユニット２３からチューナーユニット２への映像・音声情報の有線送信
(4) テレビ１，レコーダーユニット２３間（チューナーユニット２経由）
・組合せ伝送路１５（有線伝送路１４＋無線伝送路５）を介したレコーダーユニット２３からテレビ１への映像・音声情報の組合せ送信
・無線伝送路１０及び有線伝送路１４を介した制御情報の組合せ送受信。
【００６３】
第３の送受信方式の上記(4)に示すように、実施の形態３の無線伝送システムでは、チューナーユニット２は、レコーダーユニット２３から有線送信された映像・音声情報をテレビ１に無線送信する代替送信可能な中継用無線映像等送信機器としても機能する。
【００６４】
実施の形態３では、実施の形態１及び実施の形態２と同様、無線伝送方式として、複数のアンテナを用いて高速な通信を行う無線通信技術であり、高速無線LAN規格「IEEE802.11n」等でも採用されたMIMOを用い、各機器間で連携動作するために使用する制御情報は時分割で送信している映像・音声情報の隙間を利用して送信するものとする。
【００６５】
（第５の連携方法）
映像情報送受信制御部であるテレビ１の制御下で行う映像情報選択制御動作における第５の連携方法の例を以下に示す。第５の連携方法は、ユーザーがテレビ１でレコーダーユニット２３の映像・音声を視聴中に、チューナーユニット２の映像・音声に切り換えるようにリモコン８を使用してリモコン信号伝送路９を通してテレビ１に指示（切り換えコマンドＣ５による指示）した場合の連携方法である。すなわち、切り換えコマンドＣ５はチューナーユニット２を選択映像等送信機器とし、チューナーユニット２から無線送信される映像・音声情報が選択映像・音声情報となることを指示している。
【００６６】
テレビ１は上記ユーザーからの切り換えコマンドＣ５を受けると映像・音声情報の送信停止指示情報を制御情報として無線伝送路１０でチューナーユニット２に送信する。
【００６７】
チューナーユニット２はテレビ１からの上記送信停止指示情報を受信すると、有線伝送路１４を介して上記送信停止指示情報を制御情報としてレコーダーユニット２３に有線送信する。
【００６８】
レコーダーユニット２３は上記送信停止指示情報を受信すると、組合せ伝送路１５を介したテレビ１（チューナーユニット２経由）への映像・音声情報の送信を停止する。
【００６９】
その後、レコーダーユニット２３は、有線伝送路１４を通して送信停止完了情報を制御情報としてチューナーユニット２に有線送信する。
【００７０】
チューナーユニット２は送信停止完了情報を受信すると、無線伝送路１０を通して上記送信停止完了情報を制御情報としてテレビ１に無線送信する。
【００７１】
テレビ１は上記送信停止完了情報を受信すると、無線伝送路１０を通してチューナユニット用送信開始指示情報を制御情報としてチューナーユニット２に無線送信する。
【００７２】
チューナーユニット２は上記チューナユニット用送信開始指示情報を受信すると、無線伝送路５を通してテレビ１に対する映像・音声情報を無線送信を開始する。すなわち、テレビ１はチューナーユニット２から選択映像・音声情報を直接無線受信する。
【００７３】
（第６の連携方法）
次に、テレビ１の制御下で行う映像情報選択制御動作である第６の連携方法について説明する。第６の連携方法は、ユーザーがテレビ１でチューナーユニット２の映像・音声を視聴中に、レコーダーユニット２３の映像・音声に切り換えるようにリモコン８を使用してリモコン信号伝送路９を通してテレビ１に指示（切り換えコマンドＣ６による指示）する場合の連携方法である。すなわち、切り換えコマンドＣ６はレコーダーユニット２３を選択映像等送信機器とし、レコーダーユニット２３から送信される映像・音声情報が選択映像・音声情報となるように指示している。
【００７４】
テレビ１は上記ユーザーからの切り換えコマンドＣ６を受けると、無線伝送路１０を通して映像・音声情報の送信停止指示情報を制御情報としてチューナーユニット２に無線送信する。
【００７５】
チューナーユニット２はテレビ１からの上記送信停止指示情報を受信すると、テレビ１への映像・音声情報の無線送信を停止する。
【００７６】
その後、チューナーユニット２は、無線伝送路１０を通して送信停止完了情報を制御情報としてテレビ１に無線送信する。
【００７７】
テレビ１はチューナーユニット２から上記送信停止完了情報を受信すると、無線伝送路１０を通してレコーダーユニット用送信開始指示情報を制御情報としてチューナーユニット２に無線送信する。レコーダーユニット用送信開始指示情報はレコーダーユニット２３を選択映像等送信機器として決定することを指示する情報である。
【００７８】
チューナーユニット２は上記レコーダーユニット用送信開始指示情報を受信すると、有線伝送路１４を介して上記レコーダーユニット用送信開始指示情報を制御情報としてレコーダーユニット２３に有線送信する。
【００７９】
レコーダーユニット２３はチューナーユニット２から上記レコーダーユニット用送信開始指示情報を受信すると、有線伝送路１４を介してチューナーユニット２に対する映像・音声情報の有線送信を開始する。
【００８０】
チューナーユニット２はレコーダーユニット２３から映像・音声情報を受信すると、伝送路１１５を通してテレビ１に対し、レコーダーユニット２３から受信した映像・音声情報の無線送信を開始する。
【００８１】
すなわち、レコーダーユニット２３は、レコーダーユニット用送信開始指示情報を受信すると、組合せ伝送路１５を介してテレビ１（チューナーユニット２経由）に対する映像・音声情報の組合せ送信を開始する。
【００８２】
上述した第５及び第６の連携方法で説明したように、無線映像等受信機器であるテレビ１無線映像等送信機器であるチューナーユニット２に対し無線送信により制御を行い、有線映像等送信機器であるレコーダーユニット２３に対し中継用無線映像等受信機器であるチューナーユニット２を介した制御を行うことにより映像情報選択制御動作を実行している。その結果、テレビ１は、選択映像等送信機器がチューナーユニット２の場合は選択映像・音声情報を直接無線受信し、選択映像等送信機器がレコーダーユニット２３の場合は選択映像・音声情報をチューナーユニット２を介して間接的に無線受信する。
【００８３】
このように、実施の形態３の無線伝送システムでは、テレビ１による制御下で、上述した(1)〜(4)で示した第３の送受信方式を用いた映像情報選択制御動作（第５及び第６の連携方法）を行うことにより、チューナーユニット２，レコーダーユニット２３間の映像・音声情報の送信の切り換え制御が行える。
【００８４】
したがって、実施の形態３の無線伝送システムは、リモコン８を用いたユーザの操作によって、一の無線映像等受信機器（テレビ１）と複数の映像等送信機器（チューナーユニット２（無線通信機能有り），レコーダーユニット２３（無線通信機能無し））とが連携動作することにより、一の中継用無線映像等送信機器（チューナーユニット２）に送信すべき複数の映像・音声情報の混在する懸念を確実に回避することができる。
【００８５】
その結果、一の無線映像等受信機器に複数の映像等送信機器から同時に映像・音声情報が送信されることを確実に回避することができるため、実施の形態３の無線伝送システムは、良好な映像・音声情報の無線送受信が可能となる効果を奏する。
【００８６】
本実施の形態では、無線映像等送信機器としてチューナーユニット２を使用したが、これに限定しない。本実施の形態では、ユーザーからの操作はリモコン８で行われているが、操作方法はこれに限定しない。
【００８７】
本実施の形態では、テレビ１はチューナーユニット２から送信されてくる映像・音声情報の停止確認に、チューナーユニット２から送信されてくる送信停止完了情報を用いたが、テレビ１が受信している映像・音声情報の有無から判断してもよい。
【００８８】
本実施の形態では、映像等送信機器としてチューナーユニット２とレコーダーユニット２３との例を示したが、これに限定しない。本実施の形態では、映像・音声情報を送信する機器が２台の例を示したが、３台以上の場合も本実施の形態で示した第５及び第６の連携方法を応用することにより容易に適用できることは勿論である。
【００８９】
＜実施の形態４＞
実施の形態４の構成は、図３に示した実施の形態３と同様である。実施の形態３では、無線映像等受信機器であるテレビ１が映像情報送受信制御部として、複数の映像等送信機器（チューナーユニット２，レコーダーユニット２３）を制御する制御方式を採用していた。
【００９０】
一方、実施の形態４では、複数の映像等送信機器のうちの一の機器が映像情報送受信制御部として、無線映像等受信機器及び他の映像等送信機器に指示を出す制御方式を採用している点で異なる。具体的には、実施の形態２ではチューナーユニット２が映像情報送受信制御部となって動作する。
【００９１】
チューナーユニット２は複数チャンネルの映像・音声情報を同時に無線で送信することができないため、テレビ１、チューナーユニット２、及びレコーダーユニット２３は互いに連携動作することで、チューナーユニット２及びレコーダーユニット２３のどちらか一方のみテレビ１に対して映像・音声情報を無線送信するように制御する必要がある。
【００９２】
実施の形態４で利用する、テレビ１、チューナーユニット２、レコーダーユニット２３及びリモコン８間の情報の授受は以下の(2)′,(3)，(4)′,(5)で示す第４の送受信方式によって行われる。この第４の送受信方式はチューナーユニット２が映像情報送受信制御部として機能し、映像情報選択制御動作を行う場合の送受信方式である。
【００９３】
(2)′ テレビ１，チューナーユニット２間
・無線伝送路５を通じたチューナーユニット２からテレビ１への映像・音声情報の無線送信
(3) チューナーユニット２，レコーダーユニット２３間
・有線伝送路１４を介した制御情報の有線送受信
・有線伝送路１４を介したレコーダーユニット２３からチューナーユニット２への映像・音声情報の有線送信
(4)′ テレビ１，レコーダーユニット２３間（チューナーユニット２経由）
・組合せ伝送路１５（有線伝送路１４＋無線伝送路５）を介したレコーダーユニット２３からテレビ１への映像・音声情報の組合せ送信
(5) リモコン８，チューナーユニット２間
・リモコン信号伝送路１３を通じたリモコン８からチューナーユニット２への切り換えコマンドの送信。
【００９４】
第４の送受信方式の上記(4)′に示すように、実施の形態４の無線伝送システムでは、チューナーユニット２は、レコーダーユニット２３から有線送信された映像・音声情報をテレビ１に無線送信する代替送信可能な中継用無線映像等送信機器としても機能する。すなわち、実施の形態４ではチューナーユニット２は映像情報送受信制御部及び中継用無線映像等送信機器として機能する。
【００９５】
実施の形態４では、実施の形態１〜実施の形態３と同様、無線伝送方式として、複数のアンテナを用いて高速な通信を行う無線通信技術であり、高速無線LAN規格「IEEE802.11n」等でも採用されたMIMOを用い、各機器間で連携動作するために使用する制御情報は時分割で送信している映像・音声情報の隙間を利用して送信するものとする。
【００９６】
（第７の連携方法）
映像情報送受信制御部であるチューナーユニット２の制御下で行う映像情報選択制御動作における第７の連携方法の例を以下に示す。第７の連携方法は、ユーザーがテレビ１でレコーダーユニット２３の映像・音声を視聴中に、チューナーユニット２の映像・音声に切り換えるようにリモコン８を使用してリモコン信号伝送路１３を通してチューナーユニット２に指示（切り換えコマンドＣ７による指示）した場合の連携方法である。すなわち、切り換えコマンドＣ７はチューナーユニット２を選択映像等送信機器とし、チューナーユニット２から無線送信される映像・音声情報が選択映像・音声情報となることを指示している。
【００９７】
チューナーユニット２は上記ユーザーからの切り換えコマンドＣ７を受けると、有線伝送路１４を介して映像・音声情報の送信停止指示情報を制御情報としてレコーダーユニット２３に有線送信する。
【００９８】
レコーダーユニット２３は上記送信停止指示情報を受信すると、テレビ１（チューナーユニット２経由）への映像・音声情報の組合せ送信を停止する。
【００９９】
その後、レコーダーユニット２３は、有線伝送路１４を介して送信停止完了情報を制御情報としてチューナーユニット２に有線送信する。
【０１００】
チューナーユニット２は上記送信停止完了情報を受信すると、無線伝送路５を通してテレビ１に対する映像・音声情報を送信を開始する。すなわち、テレビ１はチューナーユニット２から選択映像・音声情報を直接無線受信する。
【０１０１】
（第８の連携方法）
次に、チューナーユニット２の制御下で行う映像情報選択制御動作における第８の連携方法について説明する。第８の連携方法は、ユーザーがテレビ１でチューナーユニット２の映像・音声を視聴中に、レコーダーユニット２３の映像・音声に切り換えるようにリモコン８を使用してリモコン信号伝送路１３を通してチューナーユニット２に指示（切り換えコマンドＣ８による指示）する場合の連携方法である。すなわち、切り換えコマンドＣ８はレコーダーユニット２３を選択映像等送信機器とし、レコーダーユニット２３から送信される映像・音声情報が選択映像・音声情報となることを指示している。
【０１０２】
チューナーユニット２は上記ユーザーから切り換えコマンドＣ８を受けると、テレビ１への映像・音声情報の無線送信を停止し、有線伝送路１４を介してレコーダーユニット用送信開始指示情報を制御情報としてレコーダーユニット２３に有線送信する。
【０１０３】
レコーダーユニット２３はチューナーユニット２から上記レコーダーユニット用送信開始指示情報を受信すると、有線伝送路１４を介してチューナーユニット２に対する映像・音声情報の送信を開始する。
【０１０４】
チューナーユニット２はレコーダーユニット２３から映像・音声情報を受信すると、無線伝送路５を通してテレビ１に対し、レコーダーユニット２３から受信した映像・音声情報を送信開始する。
【０１０５】
すなわち、レコーダーユニット２３は、レコーダーユニット用送信開始指示情報を受信すると、組合せ伝送路１５を介してテレビ１（チューナーユニット２経由）に対する映像・音声情報の組合せ送信を開始する。
【０１０６】
上述した第７及び第８の連携方法で説明したように、制御用無線映像等送信機器であるチューナーユニット２はレコーダーユニット２３に対する制御を行うことにより映像情報選択制御動作を実行している。その結果、選択映像等送信機器がチューナーユニット２の場合は選択映像・音声情報を無線映像等受信機器であるテレビ１に直接無線送信させ、選択映像等送信機器がレコーダーユニット２３の場合は選択映像・音声情報を中継用無線映像等送信機器であるチューナーユニット２を介して間接的に無線送信させる。
【０１０７】
なお、チューナーユニット２以外に第２の無線映像等送信機器が存在する場合は、チューナーユニット２は第２の無線映像等送信機器に対し無線送信により制御を行い上記映像情報選択制御動作を実行する。
【０１０８】
このように、実施の形態４の無線伝送システムでは、チューナーユニット２よる制御下で、上述した(2)′,(3)，(4)′,(5)で示した第４の送受信方式を用いた第７及び第８の連携方法によって、チューナーユニット２，レコーダーユニット２３間の映像・音声情報の送信の切り換え制御が行える。
【０１０９】
したがって、実施の形態４の無線伝送システムは、第３の実施の形態と同様、リモコン８を用いたユーザの操作によって、一の無線映像等受信機器と複数の映像等送信機器（チューナーユニット２（無線通信機能有り），レコーダーユニット２３（無線通信機能無し））とが連携動作することにより、一の中継用無線映像等送信機器に送信すべき複数の映像・音声情報の混在する懸念を確実に回避することができる。
【０１１０】
その結果、一の無線映像等受信機器に複数の映像等送信機器から同時に映像・音声情報が送信されることを確実に回避することができるため、実施の形態４の無線伝送システムは、良好な映像・音声情報の無線送受信が可能となる効果を奏する。
【０１１１】
本実施の形態では、無線映像等送信機器としてチューナーユニット２を使用したが、これに限定しない。本実施の形態では、ユーザーからの操作はリモコン８で行われているが、操作方法はこれに限定しない。
【０１１２】
本実施の形態では、テレビ１はチューナーユニット２から送信されてくる映像・音声情報の停止確認に、チューナーユニット２から送信されてくる送信停止完了情報を用いたが、テレビ１が受信している映像・音声情報の有無から判断してもよい。
【０１１３】
本実施の形態では、映像等送信機器としてチューナーユニット２とレコーダーユニット２３の例を示したが、これに限定しない。本実施の形態では、映像等送信機器が２台の例を示したが、３台以上の場合も本実施の形態で示した第７及び第８の連携方法を応用して適用できることは勿論である。
【０１１４】
＜実施の形態５＞
図４及び図５はこの発明の実施の形態５である無線伝送システムの構成を示す説明図である。図４はテレビ３１、チューナーユニット３２及びリモコン３４からなる構成を示し、図５はテレビ３１、レコーダーユニット３３及びリモコン３４からなる構成を示している。図４及び図５で示したテレビ３１、チューナーユニット３２、レコーダーユニット３３及びリモコン３４は、図１〜図３で示した実施の形態１〜実施の形態４のテレビ１、チューナーユニット２、レコーダーユニット３及びリモコン８として利用可能である。
【０１１５】
複数の無線通信機器（無線映像等受信機器及び無線映像等送信機器を含む）が存在する環境では、通信させたい機器同士を相互に認識させることで、通信を行う必要のない他の機器と区別することができるため、より確実で安定した通信を行うことができる。また、工場で無線動作の確認をする場合も、工場内には複数の無線通信機器が動作している可能性が高いため、あらかじめ無線接続を確認する機器同士を相互に認識させておく必要がある。本実施の形態では無線通信機器同士を相互に認識させることを認証と記述し、認識させるために使用する情報を認証コードと記述する。
【０１１６】
工場で生産した無線通信機器同士を認証させる場合、工場内では複数の無線通信機器が動作している可能性があるため、無線による認証コードの交換には限界がある。そこで、実施の形態５の無線伝送システムでは、認証させたい無線通信機器同士をHDMIケーブルで接続し、HDMIケーブルを介した有線通信を利用して認証コードを交換することにより確実な認証を可能にしている。
【０１１７】
図４及び図５に示すように、テレビ３１は、リモコン３４からリモコンコードを受信するリモコン受光部３５、映像・音声情報（信号）や機器の制御情報（信号）を受信する受信アンテナ３６、受信した信号をデジタル信号に変換する受信回路３７、デジタル信号の変復調を行う無線信号変復調回路３８を有している。
【０１１８】
さらに、テレビ３１は、無線信号変復調回路３８で変調したデジタル信号を無線送信用の信号に変換する送信回路３９、映像・音声情報や機器の制御情報を送信する送信アンテナ４０を有している。
【０１１９】
加えて、テレビ３１は、無線信号変復調回路３８で復調した映像・音声信号の高画質化を行う画像エンジン高画質化回路４１、画像エンジン高画質化回路４１で処理された映像・音声情報をパネル表示用の信号に変換するパネル表示回路４２、パネル表示回路４２からの信号を映像として表示するパネル４３を有している。
【０１２０】
また、テレビ３１は、ＨＤＭＩ端子４４で送受信した信号を処理するＨＤＭＩ回路４５、全体を制御するＣＰＵ４６、情報を保持する内部メモリ４７を有している。上述したＨＤＭＩ端子４４及びＨＤＭＩ回路４５が有線送受信部（第１の有線送受信部）として機能する。なお、ＣＰＵ４６は、リモコン受光部３５、画像エンジン高画質化回路４１及びパネル表示回路４２に対する信号受信、無線信号変復調回路３８、送信回路３９、ＨＤＭＩ回路４５及び内部メモリ４７に対する信号送受信が可能である。
【０１２１】
一方、図４に示すように、チューナーユニット３２は、チューナー（図４では図示せず）で受信した放送信号をデジタル信号に変換するチューナー回路５０、デジタル信号の変復調を行う無線信号変復調回路５１、無線信号変復調回路５１で変調したデジタル信号（映像・音声情報，機器の制御情報等）を無線送信用の信号に変換する送信回路５２、及び上記無線送信用の信号を送信する送信アンテナ５３を有している。
【０１２２】
さらに、チューナーユニット３２は、映像・音声情報や機器の制御情報を受信する受信アンテナ５４、受信した信号をデジタル信号に変換する受信回路５５を有している。
【０１２３】
また、チューナーユニット３２は、ＨＤＭＩ端子５６で送受信した信号を処理するＨＤＭＩ回路５７、全体を制御するＣＰＵ５８、及び情報を保持する内部メモリ５９を有する。上述したＨＤＭＩ端子５６及びＨＤＭＩ回路５７が有線送受信部（第２の有線送受信部）として機能する。なお、ＣＰＵ５８は、チューナー回路５０及び送信回路５２に対する信号送信、無線信号変復調回路５１、ＨＤＭＩ回路５７及び内部メモリ５９に対する信号送受信が可能である。
【０１２４】
また、図５に示すように、レコーダーユニット３３は、ブルーレイディスク等のディスクメディアに記録されている信号を読み出すことができるＢＤドライブ８１、ＢＤドライブ８１で読み出した信号をデコードして映像・音声情報（デジタル信号）に変換するデコード回路８２、及びデジタル信号の変復調を行う無線信号変復調回路８３を有している。
【０１２５】
さらに、レコーダーユニット３３は、無線信号変復調回路８３で変調したデジタル信号（映像・音声情報，機器の制御情報等）を無線送信用の信号に変換する送信回路８４、及び無線送信用の信号を送信する送信アンテナ８５を有している。
【０１２６】
加えて、レコーダーユニット３３は、無線受信用の信号（機器の制御情報等）を受信する受信アンテナ８６、及び受信した信号をデジタル信号に変換する受信回路８７を有している。
【０１２７】
また、レコーダーユニット３３は、ＨＤＭＩ端子８８で送受信した信号を処理するＨＤＭＩ回路８９、全体を制御するＣＰＵ９０、及び情報を保持する内部メモリ９１を有する。上述したＨＤＭＩ端子８８及びＨＤＭＩ回路８９が有線送受信部（第２の有線送受信部）として機能する。なお、ＣＰＵ９０は、デコード回路８２及び送信回路８４に対する信号送信、無線信号変復調回路８３、ＨＤＭＩ回路８９及び内部メモリ９１に対する信号送受信が可能である。
【０１２８】
実施の形態５では、実施の形態１〜実施の形態４と同様、映像・音声信号の無線伝送方式として、複数のアンテナを用いて高速な通信を行う無線通信技術であり、高速無線LAN規格「IEEE802.11n」等でも採用されたMIMOを用いる。また、認証コードの無線伝送方式として、映像・音声信号の送信に利用しているものとは別の周波数を用いることによって、混信させることなく送信できるものとする。
【０１２９】
各機器間で連携動作するために使用する制御情報は時分割で送信している映像・音声情報の隙間を利用して送信するものとする。
【０１３０】
以下、実施の形態５の無線伝送システムによる認証コード設定動作を説明する。まず、図４で示した構成において、無線で映像・音声情報を受信することができる無線映像等受信機器であるテレビ３１と、無線で映像・音声情報を送信することができる無線映像等送信機器であるチューナーユニット３２の間で無線通信を行う際に必要な認証コード設定動作について説明する。
【０１３１】
認証コードはテレビ３１の内部メモリ４７に保持しているものとし、テレビ３１に固有の情報である。工場で生産されたテレビ３１とチューナーユニット３２を確実に認証させるために、まず、テレビ３１のＨＤＭＩ端子４４とチューナーユニット３２のＨＤＭＩ端子５６をＨＤＭＩケーブルで接続する。その結果、テレビ３１とチューナーユニット３２とはＨＤＭＩケーブルを介した有線送受信が可能となる。
【０１３２】
そして、ＨＤＭＩケーブルによる接続を確認した後、テレビ３１のＣＰＵ４６は内部メモリ４７から認証に必要な認証コードを取得し、ＨＤＭＩ回路４５及びＨＤＭＩ端子４４を介してＨＤＭＩケーブルに送信する。
【０１３３】
一方、ＨＤＭＩケーブルの接続先であるチューナーユニット３２は認証コードが送信されてくると、ＨＤＭＩ端子５６及びＨＤＭＩ回路５７を介してＣＰＵ５８に送り、ＣＰＵ５８は受信した認証コードを内部メモリ５９に登録することにより、認証コード設定動作は完了する。
【０１３４】
実施の形態５の無線伝送システムは、テレビ３１，チューナーユニット３２間において、上述した第１及び第２の有線送受部を用いた上記認証コード設定動作を行う認証コード設定機能を有している。このため、テレビ３１の内部メモリ４７とチューナーユニット３２の内部メモリ５９には共通の認証コードを確実に保持することができる。この認証コード設定動作はテレビ３１，チューナーユニット３２間をＨＤＭＩケーブルで接続することにより何度でも行うことができる。
【０１３５】
次に、ＨＤＭＩケーブルをはずした後の認証コード確認動作を説明する。テレビ３１のＣＰＵ４６は内部メモリ４７に保持している認証コードを取り出し、送信回路３９に送る。送信回路３９は受け取った認証コードを無線送信用の信号に変換し、送信アンテナ４０に送る。送信アンテナ４０は受け取った信号を無線でチューナーユニット３２に向けて送出する。
【０１３６】
チューナーユニット３２は、受信アンテナ５４によりテレビ３１からの信号を受信すると、その信号を受信回路５５に送る。受信回路５５は受け取った信号を元の認証コードに戻し、ＣＰＵ５８に送る。ＣＰＵ５８は受信回路５５から認証コードを受け取ると、認証コード設定動作により格納された内部メモリ５９から認証コードを取り出し、受信した認証コードと内部メモリ５９に保持していた認証コードとが一致するかどうかを確認する。
【０１３７】
認証コードが一致した場合、チューナーユニット３２はテレビ３１に対して映像・音声信号の送信を開始する。認証コードが不一致の場合、チューナーユニット３２は映像・音声信号の送信を開始しない。
【０１３８】
このように、認証コード設定動作が行われた実施の形態５の無線伝送システムは、認証コード確認動作を行うことにより、テレビ３１，チューナーユニット３２間で認証コードの一致／不一致を確認することができる。
【０１３９】
次に、チューナーユニット３２がテレビ３１に対して映像・音声情報（信号）を送信し、テレビ画面に表示されるまでの処理の流れの例を示す。
【０１４０】
チューナーユニット３２のＣＰＵ５８は認証コードが一致するとチューナー回路５０にデコード開始を指示する。チューナー回路５０はＣＰＵ５８からデコード開始の指示を受けるとチューナーで受信した放送信号を映像・音声情報に変換し無線信号変復調回路５１に送る。無線信号変復調回路５１は受け取った映像・音声情報（信号）を変調し送信回路５２に送る。送信回路５２は受け取った信号を無線送信用の信号に変換し送信アンテナ５３に送る。送信アンテナ５３は受け取った信号を無線で送信する。
【０１４１】
テレビ３１の受信アンテナ３６は受信した信号を受信回路３７に送る。受信回路３７は受け取った信号をデジタル信号に変換し無線信号変復調回路３８に送る。無線信号変復調回路３８は受け取った信号を映像・音声情報に復調し、画像エンジン高画質化回路４１に送る。
【０１４２】
画像エンジン高画質化回路４１は受け取った映像情報に高画質化処理を行い、パネル表示回路４２に送る。パネル表示回路４２は受け取った信号をパネル表示用の信号に変換し、パネル４３に送る。パネル４３は受け取った信号を映像として画面に表示する。
【０１４３】
上述したように、実施の形態５の無線伝送システムは、認証コード設定動作及び認証コード確認動作を行うことにより、チューナーユニット３２は予めＨＤＭＩケーブルを使って共通する認証コードを受け取ったテレビ３１に対してのみ、映像・音声情報を送信することができる。また、一度認証コードを保持してしまった後も、テレビ３１，チューナーユニット３２間を再度ＨＤＭＩケーブルで接続して、認証コード設定動作を再度行うことにより強制的に認証コードを書き換えるといったことも可能である。
【０１４４】
本実施の形態では、工場で無線機器間の認証コード設定動作を行う場合を示したが、場所は工場に限定しない。本実施の形態では、テレビ３１とチューナーユニット３２で認証を行う例を示したが、認証を行う機器はこれに限定しない。例えば、テレビ３１とレコーダーユニット３３で認証を行う場合にも適用できる。
【０１４５】
以下、図５で示した構成において、テレビ３１とレコーダーユニット３３との間で無線通信を行う際に必要な認証コード設定動作について説明する。
【０１４６】
まず、テレビ３１のＨＤＭＩ端子４４とレコーダーユニット３３のＨＤＭＩ端子８８をＨＤＭＩケーブルで接続する。その結果、テレビ３１とレコーダーユニット３３とはＨＤＭＩケーブルを介した有線送受信が可能となる。
【０１４７】
そして、ＨＤＭＩケーブルによる接続を確認した後、テレビ３１のＣＰＵ４６は内部メモリ４７から認証に必要な認証コードを取得し、ＨＤＭＩ回路４５及びＨＤＭＩ端子４４を介してＨＤＭＩケーブルに送信する。
【０１４８】
一方、ＨＤＭＩケーブルの接続先であるレコーダーユニット３３は認証コードが送信されてくると、ＨＤＭＩ端子８８及びＨＤＭＩ回路８９を介してＣＰＵ９０に送り、ＣＰＵ９０は受信した認証コードを内部メモリ９１に登録することにより、認証コード設定動作は完了する。
【０１４９】
本実施の形態では認証コードをテレビ３１が保持している場合を示したが、これに限定しない。本実施の形態では認証コードを送信するためのケーブルとしてＨＤＭＩケーブルを用いているが、これに限定しない。
【０１５０】
本実施の形態では、１対１で認証する場合を示したが、本方法を繰り返すことで複数台の機器に同じ認証コードを持たせることも可能である。
【０１５１】
本実施の形態では、認証コードの無線伝送方式として映像・音声情報の周波数とは別の周波数を用いることで混信避ける方法を示したが、認証コードを映像・音声情報と同じ周波数で時分割で送信するようにしてもよい。
【０１５２】
＜実施の形態６＞
図６はこの発明の実施の形態６である無線伝送システムにおける無線信号送信機器及び無線信号受信機器部分を示す説明図である。なお、図６で示す無線信号送信機器６１は、図４で示すチューナーユニット３２の無線信号変復調回路５１、送信回路５２、送信アンテナ５３、受信アンテナ５４及び受信回路５５、あるいは図５で示すレコーダーユニット３３の無線信号変復調回路８３、送信回路８４、送信アンテナ８５、受信アンテナ８６及び受信回路８７の構成部分に相当する。
【０１５３】
一方、図６で示す無線信号受信機器６２は、図４及び図５で示すテレビ３１の受信アンテナ３６、受信回路３７、無線信号変復調回路３８、送信回路３９及び送信アンテナ４０の構成部分に相当する。
【０１５４】
無線信号送信機器６１は、制御情報（信号）を送受信するアンテナ６３、制御情報のデジタル信号への変換及びデジタル信号の制御情報への変換を行う送受信回路６４、デジタル信号の変復調を行う無線信号変復調回路６５、及び変調したデジタル信号を映像・音声情報（信号）に変換する送信回路６６、及び映像・音声情報を送信するアンテナ６７を備えている。
【０１５５】
無線信号受信機器６２は、制御情報を送受信するアンテナ６８、制御情報のデジタル信号への変換及びデジタル信号の制御情報への変換を行う送受信回路６９、デジタル信号の変復調を行う無線信号変復調回路７０、受信した映像・音声情報をデジタル信号に変換する受信回路７１、及び映像信号を受信するアンテナ７２を備えている。
【０１５６】
また、映像信号の送受信にはMIMO技術を用いるものとし、以下では、映像・音声情報を送受信する無線伝送路を無線伝送路Ａ、制御情報を送受信する伝送路を無線伝送路Ｂと呼ぶ場合がある。
【０１５７】
MIMO技術を用いて映像信号を送受信する際、無線信号送信機器６１と無線信号受信機器６２の位置関係により無線信号の受信感度が変化する。
【０１５８】
図７及び図８はこの発明の実施の形態６である無線伝送システムの構成を示す説明図である。図７及び図８に示すように、実施の形態６の無線伝送システムは、テレビ１０１及びチューナーユニット１０２、レコーダーユニット１０３、及びリモコン１０８で構成されている。なお、図７及び図８で示したテレビ１０１、チューナーユニット１０２、レコーダーユニット１０３及びリモコン１０８は、図１〜図３で示した実施の形態１〜実施の形態４のテレビ１、チューナーユニット２、レコーダーユニット３及びリモコン８として利用可能である。
【０１５９】
テレビ１０１は図６の無線信号受信機器６２と等価な無線通信機能を有しており、チューナーユニット１０２及びレコーダーユニット１０３３はそれぞれ図６で示した無線信号送信機器６１と等価な無線通信機能を有している。
【０１６０】
チューナーユニット１０２は内蔵されているチューナー１０４（図７，図８では存在を明確にするため外部構成要素のように示しているが実際には内蔵されている）を通して受信した放送信号を映像・音声情報に変換したものを、無線伝送路１０５を通してテレビ１０１に無線送信する無線映像等送信機器である。
【０１６１】
レコーダーユニット１０３は、ＨＤＤ等の記憶装置を備え、記録されている信号を映像・音声情報に変換したものを、無線伝送路１０６を通してテレビ１０１に無線送信する無線映像等送信機器である。また、レコーダーユニット１０３はディスク媒体１０７に映像・音声情報を読み書きすることができる装置を備えていてもよい。
【０１６２】
図９は実施の形態６の無線伝送システムによる無線通信感度設定動作を示すフローチャートである。
【０１６３】
以下、実施の形態６の無線伝送システムによる、無線信号の受信感度が高くなるように調整する無線通信感度設定動作の図７及び図８の構成例と図９のフローチャートを用いて説明する。
【０１６４】
まず、ステップＳ１において、ユーザーがリモコン１０８を操作してPOWERボタンを押下する。すると、リモコン信号伝送路１０９を通してリモコン信号が伝送され、テレビ１０１がリモコン信号を受信することでテレビ１０１に電源が投入される。
【０１６５】
チューナーユニット１０２及びレコーダーユニット１０３も同様にして電源が投入される。チューナーユニット１０２及びレコーダーユニット１０３の電源投入方法としては、テレビ１０１がリモコン１０８からのPOWERボタンの信号を受けたときに、無線伝送路１１０及び無線伝送路１１１を通してチューナーユニット１０２及びレコーダーユニット１０３にPOWERボタンの信号を無線送信するようにしてもよい。
【０１６６】
ステップＳ１でテレビ１０１，チューナーユニット１０２及びレコーダーユニット１０３に電源投入されると、ステップＳ２において、テレビ１０１の制御下で、無線伝送路Ａ及び無線伝送路Ｂのいずれかである無線伝送路Ｃを使用してテレビ１０１と無線で信号の送受信を行う対応ＡＶ機器の存在の有無を開始する。
【０１６７】
まず、ステップＳ３において、対応ＡＶ機器（対応する無線映像等送信機器）としてチューナーユニット１０２が存在するかどうかを確認し、チューナーユニット１０２の存在が確認できた場合、テレビ１０１はチューナーユニット１０２に対して認証コードを送信する。
【０１６８】
チューナーユニット１０２はテレビ１０１から認証コードを受信すると自身が保持している認証コードと一致するかどうかを確認する認証コード確認動作を行う。なお、認証コード確認動作は実施の形態５の無線伝送システムと同様に行われる。
【０１６９】
認証コードが一致した場合、チューナーユニット１０２はテレビ１０１に対してチューナーユニット認証完了を指示する情報を無線送信する。一方、認証コードが不一致の場合、チューナーユニット１０２はテレビ１０１に対してチューナーユニット認証失敗を指示する情報を無線送信する。
【０１７０】
ステップＳ３のチューナー応答確認処理で、テレビ１０１がチューナーユニット認証完了の情報を無線受信した場合（Ｙ）はステップＳ４に移行する。
【０１７１】
ステップＳ４において、テレビ１０１とチューナーユニット１０２とのプロトコルを確立した（認証コードの一致が確認された）と認識し、ステップＳ７に移行する。
【０１７２】
一方、ステップＳ３で、テレビ１０１がチューナーユニット１０２の存在を確認できなかった場合、またはチューナーユニット認証失敗を受信した場合（Ｎ）は、ステップＳ５に移行し、ステップＳ５において、リトライ回数が規定回数（Ｎ回）以下かどうかを確認する。
【０１７３】
ステップＳ５で、リトライ回数が規定回数Ｎ以下であれば、ステップＳ６でテレビ１０１，チューナーユニット１０２間の無線伝送路Ｃの無線強度をアップして、再度、ステップＳ３のチューナー応答確認処理を行う。
【０１７４】
一方、ステップＳ５で、リトライ回数が規定回数Ｎを超えている場合、ステップＳ７に移行する。この場合、チューナーユニット１０２はプロトコル確立失敗（ステップＳ４のチューナープロトコル確立処理不実行）となる。
【０１７５】
次に、ステップＳ７のレコーダー応答確認処理において、対応ＡＶ機器としてレコーダーユニット１０３が存在するかどうかを確認し、レコーダーユニット１０３の存在が確認できた場合、テレビ１０１はレコーダーユニット１０３に対して認証コードを無線送信する。レコーダーユニット１０３はテレビ１０１から認証コードを無線受信すると自身が保持している認証コードと一致するかどうかを確認する。
【０１７６】
認証コードが一致した場合、レコーダーユニット１０３はテレビ１０１に対してレコーダーユニット認証完了を指示する情報を無線送信する。また、認証コードが不一致の場合、レコーダーユニット１０３はテレビ１０１に対してレコーダーユニット認証失敗を指示する情報を無線送信する。
【０１７７】
ステップＳ７において、テレビ１０１がレコーダーユニット認証完了を指示する情報を無線受信した場合、ステップＳ８に移行する。
【０１７８】
ステップＳ８において、テレビ１０１とレコーダーユニット１０３との間のプロトコルを確立したと認識し、ステップＳ９に移行する。
【０１７９】
一方、ステップＳ７において、テレビ１０１がレコーダーユニット１０３の存在を確認できなかった場合、またはレコーダーユニット認証失敗を受信した場合、ステップＳ１０に移行し、ステップＳ１０において、リトライ回数が規定回数（Ｎ回）以下かどうかを確認する。
【０１８０】
ステップＳ１０で、リトライ回数が規定回数Ｎ以下であれば、ステップＳ１１でテレビ１０１，レコーダーユニット１０３間の無線伝送路Ｃの無線強度をアップして、再度、ステップＳ７のデコーダー応答確認処理を行う。
【０１８１】
一方、ステップＳ１０で、リトライ回数が規定回数Ｎを超えている場合、ステップＳ１２に移行する。この場合、レコーダーユニット１０３はプロトコル確立失敗（ステップＳ８のデコーダープロトコル確立処理不実行）となる。
【０１８２】
レコーダーユニット１０３のプロトコルが確立した場合、すなわち、ステップＳ８が実行された場合、ステップＳ９において、チューナープロトコル確立の有無が検証される。
【０１８３】
ステップＳ９でチューナーユニット１０２のプロトコルも確立していれば（Ｎ）、ステップＳ１３に移行し、テレビ１０１は「チューナーとレコーダーのプロトコルが確立できました」と表示する。そして、ステップＳ１７に移行する。
【０１８４】
一方、ステップＳ９で、チューナーユニット１０２のプロトコルは確立していなければ（Ｙ）、ステップＳ１４に移行し、テレビ１０１は「レコーダーのプロトコルが確立できました」と表示する。そして、ステップＳ１７に移行する。
【０１８５】
一方、レコーダーユニット１０３のプロトコル確立に失敗した場合に実行されるステップＳ１２において、チューナーユニット１０２のプロトコルが確立していれば（Ｎ）、ステップＳ１６に移行し、テレビ１０１は「チューナーのプロトコルが確立できました」と表示する。そして、ステップＳ１７に移行する。
【０１８６】
ステップＳ１２において、チューナーユニット１０２のプロトコルも確立に失敗していれば（Ｙ）、ステップＳ１５に移行し、テレビ１０１は「プロトコルが確立できません」と表示する。そして、無線通信感度設定動作を終了する。
【０１８７】
プロトコルを確立したユニット（無線映像等送信機器）が存在した場合、ステップＳ１７において、テレビ１０１はプロトコルを確立したユニットに対して映像情報を無線送信するように指示する。
【０１８８】
チューナーユニット１０２のプロトコルが確立している場合は無線伝送路１１０を通してチューナーユニット用映像情報送信開始の制御信号をテレビ１０１からチューナーユニット１０２に無線送信する。また、レコーダーユニット１０３のプロトコルが確立している場合は、無線伝送路１１１を通してレコーダーユニット用映像情報送信開始の制御信号をテレビ１０１からレコーダーユニット１０３に無線送信する。（チューナーユニット用，レコーダーユニット用）映像情報送信開始の制御信号を送信後、ステップＳ１８に移行する。
【０１８９】
ステップＳ１８において、映像情報受信感度テスト動作を開始すると、図７あるいは図８で示すテレビ１０１の画面内に示されているように、チューナーユニット１０２及び／あるいはレコーダーユニット１０３から無線で送信されてくる映像情報の受信感度が文字やグラフを用いて表示される。
【０１９０】
図７及び図８で示すテレビ１０１の画面表示例では、受信感度を棒グラフで表しており、グラフが右に行くほど受信感度が良いことを表す。また、棒グラフ中に示されている縦棒は、この縦棒よりも右に棒グラフが入れば、映像情報受信に適した受信感度になっていることを表し、文字でも受信感度ＯＫと表示する。縦棒よりも左に棒グラフが入れば、映像信号受信に適していない受信感度であることを表し、文字で受信感度ＮＧと表示する。
【０１９１】
したがって、図７で示す例では、チューナーユニット２及びレコーダーユニット３は共に映像情報受信感度が良好であることを示しており、図８で示す例では、チューナーユニット２の映像情報受信感度が良好であるがレコーダーユニット３の映像情報受信感度は不良であることを示している。
【０１９２】
そして、ステップＳ１９において、受信感度の適・不適を判断し、ステップＳ１８で測定した受信感度が全て良好な感度の場合、ステップＳ２０に移行し、テレビ１０１とのプロトコルが確立したユニットのうち１つでも受信感度が不良な場合、ステップＳ２１に移行する。
【０１９３】
例えば、チューナーユニット１０２及びレコーダーユニット１０３とのプロトコルが確立され、かつチューナーユニット１０２から無線送信される映像情報及びレコーダーユニット１０３から無線送信される映像情報が共に適した受信感度になった場合、ステップＳ２０に移行する。
【０１９４】
一方、チューナーユニット１０２及びレコーダーユニット１０３とのプロトコルが確立されており、チューナーユニット１０２から無線送信される映像情報及びレコーダーユニット１０３から無線送信される映像情報のうち一方でも受信感度が不良になっていない場合、ステップＳ２１に移行する。
【０１９５】
ステップＳ２０において、図７に示すテレビ１０１の画面表示例のように、チューナーユニット１０２及びレコーダーユニット１０３から無線送信される映像情報が共に受信感度ＯＫと表示する。さらにテレビ１０１は、「問題なく接続できました」と表示する。
【０１９６】
ステップＳ２１において、テレビ１０１は、「＊＊の向きを変更して下さい」と表示する。例えばチューナーユニット１０２からの無線送信される映像情報の受信感度が足りない場合は、図８に示すテレビ８０１の画面表示例のようにチューナーユニット１０２の受信感度ＮＧを表示するとともに、「チューナーの向きを変更してください」と表示する。すなわち、テレビ１０１は、ユーザに対しチューナーユニット１０２の向きや位置を変えるように促す画像表示を行う。
【０１９７】
ステップＳ２１が実行されることは、ユーザに不良ユニットの設置状況の変更を促すことを意味する。したがって、ステップＳ２１が実行された場合、ユーザは、テレビ１０１への受信感度改善を図るべく不良ユニットの設置状況の変更処理を行うことができる。
【０１９８】
すなわち、ユーザは、定期的に受信感度の確認を行いながら、プロトコルが確立した全ユニットが受信感度ＯＫになるまで、チューナーユニット１０２あるいはレコーダーユニット１０３の向きや位置を変更を繰り返すことができる。そして、全ユニット（チューナーユニット１０２，レコーダーユニット１０３）の受信感度ＯＫになったら、ステップＳ２０が実行される。
【０１９９】
このような受信感度改善処理を実現可能にすべく、例えば、図９の点線で示したように、ステップＳ２１受信感度ＮＧ後のステップＳ２２において、不良ユニットの向きの変更等の受信感度改善処理を行う機会を与え、再びステップＳ１７〜Ｓ２１が実行されるようにする対応が考えられる。
【０２００】
図７及び図８で示したテレビ１０１の画面表示は一例であり、無線送信される映像情報の受信感度を確認するために他の表示方法を用いてもよい。
【０２０１】
映像情報の無線送信では、受信感度が画質に影響するため、グラフや数値を用いて受信感度が最も高くなる位置を簡単にユーザーに知らせることが必要となる。
【０２０２】
実施の形態６の無線伝送システムは、上記した映像情報受信感度テスト動作を行う受信感度テスト機能を有するため、ユーザは、テレビ１０１に画面上に表示される文字やグラフ、数値等で確認しながら、簡単にチューナーユニット１０２，レコーダーユニット１０３の映像情報の無線受信感度を調整することが可能となる効果を奏する。
【図面の簡単な説明】
【０２０３】
【図１】この発明の実施の形態１（実施の形態２）である無線伝送システムの構成を示す説明図である。
【図２】実施の形態１（実施の形態２）の無線伝送システムの構成を示す説明図である。
【図３】この発明の実施の形態３（実施の形態４）である無線伝送システムの構成を示す説明図である。
【図４】この発明の実施の形態５である無線伝送システムの構成を示す説明図である。
【図５】実施の形態５の無線伝送システムの構成を示す説明図である。
【図６】この発明の実施の形態６である無線伝送システムにおける無線信号送信機器及び無線信号受信機器部を示す説明図である。
【図７】実施の形態６の無線伝送システムの構成を示す説明図である。
【図８】実施の形態６の無線伝送システムの構成を示す説明図である。
【図９】実施の形態６の無線伝送システムによる無線通信感度設定動作を示すフローチャートである。
【符号の説明】
【０２０４】
１，３１，１０１  テレビ、２，３２，１０２  チューナーユニット、３，２３，３３，１０３  レコーダーユニット、４，１０４  チューナー、５，６，１０〜１２，１０５，１０６，１１０〜１１２  無線伝送路、７，１０７  ディスク媒体、８，３４，１０８  リモコン、９，１３，１０９  リモコン信号伝送路、１４  有線伝送路、１５  組合せ伝送路、４４，５６，８８  ＨＤＭＩ端子、４６，５８，９０  ＣＰＵ、４７，５９，９１  内部メモリ、６１  無線信号送信機器、６２  無線信号受信機器、６３，６７，６８，７２  アンテナ、６４，６９  送受信回路、６６，７１  送信回路、６５，７０  無線信号変復調回路。
【図１】
2010114798.tif 000003
【図２】
2010114798.tif 000004
【図３】
2010114798.tif 000005
【図４】
2010114798.tif 000006
【図５】
2010114798.tif 000007
【図６】
2010114798.tif 000008
【図７】
2010114798.tif 000009
【図８】
2010114798.tif 000010
【図９】
2010114798.tif 000011